(57)【要約】【課題】  排水ます本体の底部にゴミ等が溜まった場合、そのゴミを簡単に取り除くことのできる排水ますを提供する。【解決手段】  排水管に接続される排水ます本体４と、この排水ます本体４の上部に設けられるとともにこの排水ます本体に連通した立上り部５とを備え、上部に点検口を有し且つ排水枝管９が接続される点検筒７を立上り部５に接続する排水ます１であって、立上り部５内に合流管１０を着脱自在に取り付け、この合流管１０は、立上り部５内に嵌入する嵌入管部１１と、この嵌入管部１１内に設けられるとともに排水枝管９から流れてくる排水を受けて、排水ます本体４内の排水の流れる方向へ導入するガイド管部１３とを有する。【選択図】  図２
2007032016.tif 000002
【特許請求の範囲】
【請求項１】
排水管に接続される排水ます本体と、この排水ます本体の上部に設けられるとともにこの排水ます本体に連通した立上り部とを備え、上部に点検口を有し且つ排水枝管が接続される点検筒を前記立上り部に接続する排水ますであって、
前記立上り部内に合流管を着脱自在に取り付け、
この合流管は、前記排水枝管から流れてくる排水を受けて、前記排水ます本体内の排水の流れる方向へ導入するガイド管部を有していることを特徴とする排水ます。
【請求項２】
前記排水枝管から流れてくる排水を前記ガイド管部の導入口へ案内するガイド壁部を設けたことを特徴とする請求項１に記載の排水ます。
【請求項３】
前記ガイド管部の導入口の中心線を、前記立上り部の中心線から前記ガイド管部の導入方向と反対方向へずらせたことを特徴とする請求項１または請求項２に記載の排水ます。
【発明の詳細な説明】
【技術分野】
【０００１】
この発明は、宅内の建屋基礎近傍に設置可能な排水ますに関する。
【背景技術】
【０００２】
従来から、点検筒部を有するとともに、屋外排水主管を流れる排水と排水枝管を流れる排水を合流させる排水ますが知られている（特許文献１参照）。
【０００３】
かかる排水ますは、屋外排水主管が接続される排水ます本体と、この排水ます本体の上部に設けた点検筒部と、この点検筒部の上端の点検開口に設けた開閉蓋と、点検筒部内に取り付けられるとともに排水枝管が接続されるエルボ管とを備えている。そして、屋外排水主管を流れてきた排水に、排水枝管を流れてきた排水がエルボ管を介して合流されるようになっている。
【０００４】
また、点検開口の開閉蓋を開けることにより、排水ますの中を点検することができるようになっている。このことにより、屋外排水主管を建屋に極めて接近させて設置可能とするとともに、排水枝管からの落差の流れを円滑に排水可能としたものである。
【特許文献１】特開２００４−２７８０９５号公報
【発明の開示】
【発明が解決しようとする課題】
【０００５】
しかしながら、この排水ますは、排水ます本体の底部にゴミ等が溜まった場合、点検開口の開閉蓋を開けても、エルボ管を脱着する手間が必要な点と、エルボ管を設置する際には高さ調整と開口部の方向調整が必要という問題があった。
【０００６】
この発明の目的は、排水ます本体の底部にゴミ等が溜まった場合、そのゴミを簡単に取り除くことができるとともに、施工しやすい省スペース対応の排水ますを提供することにある。
【課題を解決するための手段】
【０００７】
請求項１の発明は、排水管に接続される排水ます本体と、この排水ます本体の上部に設けられるとともにこの排水ます本体に連通した立上り部とを備え、上部に点検口を有し且つ排水枝管が接続される点検筒を前記立上り部に接続する排水ますであって、
前記立上り部内に合流管を着脱自在に取り付け、
この合流管は、前記排水枝管から流れてくる排水を受けて、前記排水ます本体内の排水の流れる方向へ導入するガイド管部を有していることを特徴とする。
【０００８】
請求項２の発明は、前記排水枝管から流れてくる排水を前記ガイド管部の導入口へ案内するガイド壁部を設けたことを特徴とする。
【０００９】
請求項３の発明は、前記ガイド管部の導入口の中心線を、前記立上り部の中心線から前記ガイド管部の導入方向と反対方向へずらせたことを特徴とする。
【発明の効果】
【００１０】
この発明によれば、立上り部内に合流管を着脱自在に取り付けたものであるから、立上り部から合流管を取り外すことにより、排水ます本体の底部に溜まったゴミを簡単に取り除くことができる。また、施工時には、排水ますの立上り部に合流管を嵌入するだけで、方向性や高さ調整をする必要もなく、排水枝管からの落差の排水流れを排水ます本体にスムーズに合流させることができる。
【発明を実施するための最良の形態】
【００１１】
以下、この発明に係る排水ますの実施の形態である実施例を図面に基づいて説明する。
【実施例】
【００１２】
［第１実施例］
図１および図２に示す排水ます１は、両端に接続口２,３が形成された排水ます本体４と、この排水ます本体４の上部に設けられるとともにこの排水ます本体４内に連通した立上り部５と、この立上り部５内に着脱自在に取り付けられた合流管１０とを備えている。立上り部５の下部にはフランジ５ａが形成されている。
【００１３】
排水ます本体４の流入接続口２には屋外排水管６Ａが接続され、排水ます本体４の流出接続口３には排水を下水管（図示せず）へ流す排水管６Ｂが接続されている。
【００１４】
立上り部５の上端には点検筒７が接続され、点検筒７の上端には点検開口７Ａが形成され、この点検開口７Ａには点検蓋８が開閉可能に取り付けられている。また、点検筒７の側部には排水枝管（横管）９が接続されている。
【００１５】
そして、排水ます１や点検筒７や排水枝管９等は図示しない地中に埋設されるものであり、点検蓋８のみが地表に露出されることになる。
【００１６】
合流管１０は、図３および図４に示すように、排水ます１の立上り部５内に着脱自在に嵌入される嵌入管部１１と、この嵌入管部１１内に一体に設けられたガイド体１２とを有している。嵌入管部１１の下端は図２に示すように立上り部５のフランジ５ａに当接し、合流管１０が排水ます本体４の開口４Ａ内に入り込まないようになっている。
【００１７】
ガイド体１２は、排水枝管９から流れてくる排水を受けて、排水ます本体４内の排水の流れる方向へ導入するガイド管部１３と、後述するガイド壁部１４とを有している。
【００１８】
ガイド管部１３の導入口１３Ａの中心線１３Ａｂは、立上り部５の開口の中心線５ａすなわち嵌入管部１１の開口１１Ａの中心線１１Ａｂからガイド管部１３のガイド方向と反対方向である左（図４において）へずれており、その開口１１Ａと導入口１３Ａとの間には、図４および図５に示すように断面形状が湾曲したガイド壁部１４が形成されている。このガイド壁部１４は排水枝管９からの排水を受けて導入口１３Ａへ案内するようになっている。
【００１９】
ガイド管部１３の下部の開口１３Ｂは斜めに形成され、その開口１３Ｂの面積が大きくなっている。また、ガイド管部１３の導入口１３Ａの中心線１３Ａｂが嵌入管部１１の開口１１Ａの中心線１１Ａｂからガイド管部１３のガイド方向と反対方向へずれていることにより、ガイド管部１３の開口１３Ｂと嵌入管部１１の周壁１１ｆとの間の開口（隙間）を大きくとることができる。
【００２０】
次に、上記のように構成される排水ます１の作用について説明する。
【００２１】
排水枝管９から点検筒７内へ排水が流れてくると、合流管１０のガイド管部１３がその排水の一部を受けて、図２に示すように排水ます本体４内の排水の流れるＰ１方向へ案内し、この案内された排水がスムーズに合流されて、排水管６Ｂを介して下水管へ排水される。
【００２２】
また、排水枝管９から点検筒７内へ流れてきた排水は、合流管１０のガイド壁部１４によりガイド管部１３の導入口１３Ａへ案内され、この導入口１３Ａへ案内された排水は上記と同様に排水ます本体４内の排水にスムーズに合流されて、排水管６Ｂを介して下水管へ排水される。
【００２３】
そして、排水ます本体４の底部４ａにゴミ等が溜まった場合、点検筒７の点検蓋８を開け、排水ます本体４の立上り部５内から合流管１０を上に引き上げて取り外す。この合流管１０を取り外すことにより、その底部４ａのゴミ等を簡単に取り除くことができる。
【００２４】
ゴミを取り除いたら、合流管１０を排水ます本体４の立上り部５内へ押し込んで、図２に示すように立上り部５内に取り付ける。
［第２実施例］
図６は第２実施例の排水ます２０を示す。この排水ます２０は、排水ます本体４の立上り部５に取り付けた合流管３０を備えている。
【００２５】
合流管３０は、排水ます本体４の立上り部５に接続する接続管３１と、この接続管３１内に着脱自在に取り付けたガイド体４０を有している。
【００２６】
接続管３１は、図７および図８に示すように、小径の管部３１Ａと大径の管部３１Ｂとを有しており、管部３１Ａの内周面の上部には周方向に沿って複数の突起３２が形成されている。そして、この管部３１Ａを排水ます本体４の立上り部５内に嵌入させることにより、接続管３１を立上り部５に取り付けるものである。また、管部３１Ｂの上端には点検筒７（図２参照）が接続される。
【００２７】
ガイド体４０は、図９ないし図１１に示すように、擂り鉢状のガイド管部４１と、このガイド管部４１に一体に形成されたガイド壁部４２とを有している。また、ガイド体４０の上端にはフランジ４０ａが形成され、このフランジ４０ａが図６に示すように接続管３１の複数の突起３２に係止されることにより、ガイド体４０が接続管３１内に着脱自在に取り付けられている。
【００２８】
そして、フランジ４０ａと接続管３１の管部３１Ａの内周壁面との間に図示しない所定の隙間が形成されており、図示しない屋内排水管内等で発生する負圧によって排水枝管９の上流側に接続される図示しない器具トラップの破封を防止する。
【００２９】
ガイド管部４１は、一側部に形成した開口４１Ａと、この開口４１Ａの両側に設けた側壁部４３とを有し、排水枝管９から流れてくる排水を受けて、その開口４１Ａから排水ます本体４内の排水の流れる方向へ流すものである。
【００３０】
ガイド壁部４２は、断面形状が湾曲するとともに、排水枝管９からの排水を受けてガイド管部４１の導入口４１Ｂへ案内するようになっている。また、ガイド壁部４２の端部４２ａの位置と開口４１Ａの位置とが一致されている。
【００３１】
この第２実施例の排水ます２０も、排水ます本体４の底部４ａにゴミ等が溜まった場合、第１実施例と同様に点検筒７の点検蓋８（図６に図示せず）を開け、接続管３１内からガイド体４０を取り外す。このガイド体４０の取り外しにより、その底部４ａのゴミ等を簡単に取り除くことができる。
【００３２】
以上、この発明の最良の実施の形態の実施例を説明したが、この実施例に限定されるものではなく、発明の要旨を逸脱しない程度の設計変更は、この発明に含まれるものである。
【図面の簡単な説明】
【００３３】
【図１】この発明に係る第１実施例の排水ますを示した側面図である。
【図２】図１の排水ますの構成を示した断面図である。
【図３】排水ますの合流管を示した斜視図である。
【図４】図３の合流管の構成を示した断面図である。
【図５】図３に示す合流管の平面図である。
【図６】第２実施例の排水ますの構成を示した断面図である。
【図７】図６に示す排水ますの接続管を示した断面図である。
【図８】図７に示す接続管の断面斜視図である。
【図９】図６に示す排水ますのガイド体を示した側面図である。
【図１０】図９に示すガイド体を示した斜視図である。
【図１１】図９に示すガイド体の構成を示した断面図である。
【符号の説明】
【００３４】
１                  排水ます
４                  排水ます本体
５                  立上り部
７                  点検筒
９                  排水枝管
１０                合流管
１１                嵌入管部
１３                ガイド管部
【図１】
2007032016.tif 000003
【図２】
2007032016.tif 000004
【図３】
2007032016.tif 000005
【図４】
2007032016.tif 000006
【図５】
2007032016.tif 000007
【図６】
2007032016.tif 000008
【図７】
2007032016.tif 000009
【図８】
2007032016.tif 000010
【図９】
2007032016.tif 000011
【図１０】
2007032016.tif 000012
【図１１】
2007032016.tif 000013